(57)【要約】【課題】植物の育成に悪影響を及ぼすおそれのある接合剤の使用量を少なくし、あるいはラス金網を用いなくても、吹付材料を法面に安定して付着させる。【解決手段】法面緑化基盤強化材は、竹笹類の繊維を混入して成る。または、育成基盤材、客土、セメントまたはモルタルに竹笹類の繊維を混入して成る。法面緑化工法は、上述の法面緑化基盤強化材を混入した吹付材料を法面に吹き付ける。ここで、法面緑化基盤強化材を混入した吹付材料を吹付機で攪拌した後、圧縮空気により搬送して吹付ノズルから対象法面に吹き付ける。または、法面緑化基盤強化材を混練りした吹付材料を吹付機に投入し、水を加えて攪拌した後、圧縮空気により搬送して吹付ノズルから対象法面に吹き付ける。【選択図】　　　図１
2004089183.tif 000002
【特許請求の範囲】
【請求項１】
竹笹類の繊維を混入して成ることを特徴とする法面緑化基盤強化材。
【請求項２】
育成基盤材、客土、セメントまたはモルタルに竹笹類の繊維を混入して成ることを特徴とする法面緑化基盤強化材。
【請求項３】
請求項２記載の法面緑化基盤強化材において、前記竹笹類の繊維の混入量は、前記育成基盤材、客土、セメントまたはモルタルに対して重量比で５〜３０％であることを特徴とする法面緑化基盤強化材。
【請求項４】
請求項２記載の法面緑化基盤強化材において、前記竹笹類の繊維の混入量は、前記育成基盤材、客土、セメントまたはモルタルに対して重量比で５〜１５％であることを特徴とする法面緑化基盤強化材。
【請求項５】
請求項２記載の法面緑化基盤強化材において、前記竹笹類の繊維の混入量は、前記育成基盤材、客土、セメントまたはモルタルに対して重量比で１〜５％であることを特徴とする法面緑化基盤強化材。
【請求項６】
請求項１ないし請求項５の何れか１項記載の法面緑化基盤強化材を混入した吹付材料を法面に吹き付けることを特徴とする法面緑化方法。
【請求項７】
請求項１ないし請求項５の何れか１項記載の法面緑化基盤強化材を混入した吹付材料を吹付機に投入し、水を加えて攪拌した後、圧縮空気により搬送し、吹付ノズルから前記圧縮空気とともに前記吹付材料を吐出し、前記圧縮空気によって対象法面に吹き付けることを特徴とする法面緑化方法。
【請求項８】
請求項１ないし請求項５の何れか１項記載の法面緑化基盤強化材を混練りした吹付材料を吹付機に投入し、水を加えて攪拌した後、圧縮空気により搬送し、吹付ノズルから前記圧縮空気とともに前記吹付材料を吐出し、前記圧縮空気によって対象法面に吹き付けることを特徴とする法面緑化方法。
【発明の詳細な説明】
【０００１】
【発明の属する技術分野】
本発明は、吹付による法面緑化工法に用いる基盤強化材およびこの基盤強化材を用いた法面緑化工法に関するものである。
【０００２】
【従来の技術】
周知のように、道路工事等に伴い発生する切土・盛土法面は、裸地のままでは風化、浸食作用を受けて容易に劣化し、法面崩壊等の土砂災害の危険性が高い。このため、従来から、切土・盛土法面に対しては、モルタル吹付やコンクリート吹付によって切土面を覆い、保護することが行われてきた。
【０００３】
また、最近では、環境および景観を重視して、植物種子を混ぜた客土や基盤材を用いて吹付工を実施している。
植物種子を利用した吹付工は、主に種子を吹き付ける種子吹付工、種子と客土を吹き付ける客土吹付工、種子と育成基盤材を吹き付ける厚層基材吹付工に分類されている。
【０００４】
種子吹付工は、切土・盛土面が比較的肥沃で、土壌化した法面に対して行われる。
これに対して、客土吹付工および厚層基盤材吹付工は、切土・盛土面が非常に締まった土砂、盛建て岩石や岩盤等が露出しており、そのままでは植物の育成に支障がある法面に対して用いられる。
これらの吹付に用いる材料は、植物が育成するまでに降雨により流失したり、剥離して落下したりするおそれがある。
【０００５】
一方、植物が十分に育成した後は、植物根により表層が保護されることとなるので、植物が育成するまでの間、吹き付けた材料が法面表面に安定しておればよい。
一般に、このような条件下では、育成基盤材に接合剤として高分子系樹脂またはセメントを混入させた厚層基盤吹付工が用いられている。
しかしながら、接合剤は吹付後時間が経過するに従って固化するため、発芽した植物根の育成に支障となることが多い。
【０００６】
また、吹付を行う前にラス金網を法面表面に敷設して、アンカーピンによってラス金網を法面に固定した後、吹付を行うことによって、ラス金網によって育成基盤材が固定されることにより、材料の剥離を防止することがある。
ラス金網を敷設した場合は、草本類の育成には支障はないが、近年では木本類の導入が望まれており、これら木本類は育成すると、幹径がラス金網の網目（通常５ｃｍ程度）より太くなるため、幹にラス金網が食い込んで木本類の成長を阻害する原因となっている。
【０００７】
これらの問題を解決するために、これまでも、育成基盤材に金属製繊維や化学繊維を混入させて、吹き付けることが行われている（例えば、特許文献１参照）。
【特許文献１】
特許第３２４５３０３号公報
【０００８】
【発明が解決しようとする課題】
しかしながら、金属製繊維は、錆が発生し、法面の美観を著しく損なう原意となっている。
【０００９】
また、化学繊維は、非常に長期にわたって安定しているため、施工後長年月が経過することにより、育成基盤材の表層部が浸食されると、化学繊維のみが法面表面や法面下部に堆積し、美観を損ねるばかりでなく、餌と誤って食した野鳥・野獣の類に死をもたらす原因となっている。
さらに、化学繊維は、分解する際に、環境ホルモン等の有害物質を生成する可能性があり、しかも分解に要する期間が著しく長いので、長期間に亘って環境を汚染することが危惧される。
【００１０】
また、強酸性土壌におけるラス金網の敷設は、酸による金属腐食から腐植部分からラス金網の切断が起こり、育成基盤材を巻き込んでラス金網全体がまくれ上がり、法面全体を裸地化させる原因となっている。
本発明は斯かる従来の問題点を解決するために為されたもので、その目的は、植物の育成に悪影響を及ぼすおそれのある接合剤の使用量を少なくし、あるいはラス金網を用いなくても、吹付材料を法面に安定して付着させることが可能な法面緑化基盤強化材を提供することにある。
【００１１】
また、本発明の別の目的は、この法面緑化基盤強化材を用いた法面緑化方法を提供することにある。
【００１２】
【課題を解決するための手段】
請求項１に係る発明は、竹笹類の繊維を混入して成ることを特徴とする。
【００１３】
請求項２に係る発明は、育成基盤材、客土、セメントまたはモルタルに竹笹類の繊維を混入して成ることを特徴とする。
請求項３に係る発明は、請求項２記載の法面緑化基盤強化材において、前記竹笹類の繊維の混入量は、前記育成基盤材、客土、セメントまたはモルタルに対して重量比で５〜３０％であることを特徴とする。
【００１４】
請求項４に係る発明は、請求項２記載の法面緑化基盤強化材において、前記竹笹類の繊維の混入量は、前記育成基盤材、客土、セメントまたはモルタルに対して重量比で５〜１５％であることを特徴とする。
請求項５に係る発明は、請求項２記載の法面緑化基盤強化材において、前記竹笹類の繊維の混入量は、前記育成基盤材、客土、セメントまたはモルタルに対して重量比で１〜５％であることを特徴とする。
【００１５】
請求項６に係る発明は、請求項１ないし請求項５の何れか１項記載の法面緑化基盤強化材を混入した吹付材料を法面に吹き付けることを特徴とする。
請求項７に係る発明は、請求項１ないし請求項５の何れか１項記載の法面緑化基盤強化材を混入した吹付材料を吹付機に投入し、水を加えて攪拌した後、圧縮空気により搬送し、吹付ノズルから前記圧縮空気とともに前記吹付材料を吐出し、前記圧縮空気によって対象法面に吹き付けることを特徴とする。
【００１６】
請求項８に係る発明は、請求項１ないし請求項５の何れか１項記載の法面緑化基盤強化材を混練りした吹付材料を吹付機に投入し、水を加えて攪拌した後、圧縮空気により搬送し、吹付ノズルから前記圧縮空気とともに前記吹付材料を吐出し、前記圧縮空気によって対象法面に吹き付けることを特徴とする。
本発明において使用する竹笹類の繊維は、施工当初は所要の強度を有しているが、化学繊維に比較して分解が早く、しかも分解の際に環境ホルモン等の有害物質を放出しない。
【００１７】
また、竹笹類の繊維は、草本の繊維に比較して繊維の長さが長く、天然材でありながら、任意の長さ、太さに加工することが容易である。
さらに、竹笹類は国内に多く生育しており、外来の微生物等の付着に起因する生態系の乱れを惹起する危険性がないので、この点でも優れた材料である。
しかるに、竹類は、近年、薪炭から石油、堆肥から化学肥料への切り替え、および林野農村の高齢化により、里山の手入れが行き届かなくなり、食料等のために植えられていた竹類の育成が暴走し、全山竹林になるなど、竹林化の弊害が散見されるようになった。また、伐採等行っても、竹炭、竹酢等の需要は小さく、伐採竹を産業廃棄物として処理せざるを得ない状況にある。
【００１８】
そこで、竹類を法面緑化基盤強化材として活用することにより、このような問題が一挙に解決できることにもなる。
法面緑化方法では、植物が育成した後は、植物根により法面の安定が図られるので、竹笹類の繊維が分解しても、法面の安定には何ら支障を及ぼすものではない。
また、竹笹類の他にも草木の繊維が考えられるが、草類ではその強度が小さく、木材では、繊維分と比較して木質部が著しく多いため、繊維を取り出す手間が竹笹類に比較して著しく多大となり、さらには繊維を取り出した残りの木質部は廃棄することになるので、廃棄物が著しく多くなり、適当ではない。
【００１９】
また、ジュート、ヤシ、シュロの類でも繊維を取り出すことは可能であるが、これらは、国内では生育しておらず、輸入に頼る必要がある。
このような場合、これらの繊維に微生物や他の植物の種子あるいは昆虫類の卵が付着していることがあり、これらの付着した微生物、種子あるいは昆虫類がその後国内で成育すると、生態系を乱すことにもつながるおそれがあるので、望ましくない。
【００２０】
なお、本発明にも用いられる竹笹類は、竹類または笹類のいずれでもよいが、繊維の強度は竹類が笹類と比較して強いため、竹類を用いることが望ましい。
【００２１】
【発明の実施の形態】
次に、本発明の実施形態について説明する。
【００２２】
先ず、本発明に係る法面緑化基盤強化材の実施形態を説明する（請求項１ないし請求項５に対応する）。
本実施形態に係る法面緑化基盤強化材は、竹笹類の繊維を混入することによって構成されている。
ここで、法面緑化基盤強化材を構成する母材は、育成基盤材、客土、セメントまたはモルタルである。
【００２３】
育成基盤材としては、例えば、バーク堆肥、ピ−トモス（地力増進法指定）パーライト、牛糞堆肥、培土などによって構成されている。
バーク堆肥は、多年に亘り堆積された樹皮をさらに粉砕し高温発酵させたもので、腐植酸・リグニンなど有機物を含み、保肥性・保水性・通気性に優れている。
ピ−トモス（地力増進法指定）は、水苔・葦・萱などが、数千年枯死堆積を繰り返し厚く層になり泥炭化したもので、養分に富み、透水性・保水性向上など土壌改良に効果が高い。
【００２４】
パーライトは、真珠岩・黒曜石の焼成加工物で、多孔質・軽量なことから、土壌の保水性・通気性・透水性の改善に効果がある。
牛糞堆肥は、牛糞を堆積腐熱させたもので、保肥力のある増大団粒化の促進、微生物の活動を活発化するなど土壌の理科学性の改善にも効果を発揮する。
【００２５】
培土は、浄化槽処理汚泥。有機質のみの基盤材に培土を混ぜることで保水機能を高める。
また、客土としては、クロボク、マサ等客土または現地発生土が用いられる。
客土は、客土材として建設材料として扱われている。現地発生土は、近年、土木工事における建設排土をゼロミッションの立場から１００％リサイクルしようと定義付けられている。従って、本発明において、１００％の現地発生土の混入を可能とすることができる。
【００２６】
また、セメントまたはモルタルは、セメント吹付、モルタル吹付の骨材、増量剤として竹笹類の繊維を利用することも可能である。
竹笹類の繊維としは、打撃、掻きだし、爆砕等により粉砕した繊維を用いる。繊維長は５ｍｍ〜１０ｃｍ、繊維径は概ね３ｍｍより小さいのもが望ましい。竹笹類の繊維は、５ｍｍ〜１０ｃｍの長さにおいて基盤強化材として有効であるが、５ｍｍ未満の粉末状の繊維、１０ｃｍ以上の竹籤状の繊維も処理条件によって使用可能である。なお、１０ｃｍ以上の繊維は、圧送ホースの口径、繊維のしなり具合、育成基盤材との混合による団粒の強度等の複合作用により圧送の可否が定まる。
【００２７】
竹笹類の繊維の母材である育成基盤材、客土、セメントまたはモルタルに対する混入量は、重量比で５０〜３０％、望ましくは５〜１５％、特に望ましくは１〜５％である。
下限値を満たさないと、法面緑化に要求される植物の育成に寄与する効果が果たしづらくなり、逆に、上限値を上回ると、吹付材料として使用しづらくなるとともに法面に要求される強度を確保することが難しくなる。
【００２８】
次に、本発明に係る法面緑化方法について、図面に示す実施形態に基づいて説明する。
図１は、本発明の一実施形態に係る法面緑化方法における吹付作業のフローシートを示す（請求項６ないし請求項８に対応する）。
【００２９】
本図に示すフローシートは、吹付材料に竹笹類の繊維を加えた点で、通常の厚層基材吹付工のフローシートとは相違する。
先に、本実施形態に用いる装置について説明する。
本実施形態では、育成基盤材と竹笹類の繊維から成る法面緑化基盤強化材を混入した吹付材料２５を、直接吹付機１に投入する場合について説明する。
【００３０】
吹付機１には、水を供給するための水ホース２と、圧縮空気を供給するエアホース３が接続されている。ここで、吹付機１として、モルタル吹付機が使用されている。
水ホース２には、水源４から供給するための揚水ポンプ５が取り付けられており、揚水ポンプ５を駆動させることにより、必要な水を吹付機１に供給することが可能である。
【００３１】
なお、水源４は、必要な水を取水できるのあれば、河川、水道水、水槽、井戸等その種別は問わない。４ａは水タンクである。
エアホース３には、コンプレッサ６が接続されており、コンプレッサー６を駆動させることにより、吹付機１に必要な圧縮空気を供給することが可能である。
また、吹付機１、揚水ポンプ５およびベルトコンベア７には、発動発電機１８で発電された電力が配電盤１９を経由して電線２０を介して供給されるようになっている。
【００３２】
一方、本実施形態に用いる吹付材料２５は、種子８、肥料９、接合剤１０、育成基盤材および竹笹類の繊維１１で構成され、ベルトコンベア７により、吹付機１に投入される。
吹付材料２５を構成する種子８、肥料９、接合剤１０、育成基盤材および竹笹類の繊維１１は、それぞれ１回吹付ける分量だけ計量されてベルトコンベア７上に置かれる。種子８、肥料９、接合剤１０は、計量器２１で計測される。
【００３３】
肥料９は、育成基盤材２０００リットルに対して２〜６ｋｇ程度とするのが望ましいが、育成基盤材の種類あるいは吹付対象法面の状況により、必ずしもこれによる必要はない。なお、肥料９は、使用植物、肥効の確実性および持続性、接合剤、育成基盤材、植物の薬害などに応じてその種類を選定することができる。
接合剤１０は、例えば、酢酸ビニル・アクリル酸系樹脂を成分とする合成樹脂の乳状液体、トウモロコシ、ジャガイモ等を原料とする生分解性樹脂の乳状液体を使用する。
【００３４】
また、対象法面１４には、ラス金網１５がアンカーピン１６、補助アンカーピン１７により設置されている。
次に、図１に従って本実施形態に係る法面緑化方法による作業方法を説明する。
先ず、ベルトコンベア７上に置かれた吹付材料２５を、吹付機１に投入する。次に、吹付機１は、投入された吹付材料２５に、必要な水を加えて攪拌する。
【００３５】
竹笹類の繊維１１を吹付機１において、育成基盤材と攪拌することにより、長短様々な竹笹類の繊維１１が育成基盤材に方向性なくランダムに混合される。
次に、圧縮空気によって材料圧送ホース１２を経て吹付場所に搬送する。そして、吹付ノズル１３から圧縮空気とともに混合された吹付材料２５を圧縮空気によって対象法面１４に吹き付ける。
【００３６】
これにより、育成基盤中に竹笹類の繊維１１が網目状に配置され、竹笹類の繊維１１を含まない育成基盤中と比して４割増し程度のセン断強度をもつ法面緑化基盤材が形成される。このセン断強度の増強が、竹笹類の繊維１１の基盤強化材として役割を果たし、ラス金網の省略を可能とする。
ここで、植物の生育基盤として最小最小限必要な厚さは、その基盤中に根が伸長できて植物体を固定し、植物が生育に必要な水分と養分を吸収できるように設定される。
【００３７】
生育基盤は厚いほど根が広範囲に伸長し、その範囲の水分と養分を利用することができるので生育は良好となり、異常天候に対しても安定した生育ができる。植物の種類にもよるが、生育基盤の厚さについては、薄いほど日照りなどの異常天候に対して弱く、肥料切れもはやく起き、植生維持のための手間を必要とし、時には枯死に至ることもある。
【００３８】
従って、生育基盤の厚さを決定する場合には、復元する植物社会の形態やメンテナンスの程度、立地条件、生育基盤の材質および経済性などの検討を十分に行うことが必要である。
以上により、育成基盤材に竹笹類の繊維１１を混入した吹付材料２５を対象法面１４に吹き付けることができる。
【００３９】
なお、本実施形態では、竹笹類の繊維１１を吹付機１において、育成基盤材と攪拌する場合について説明したが、吹付機１投入前にミキサー等で混練しても良い。その場合にも、長短様々な竹笹類の繊維１１が育成基盤材に方向性なくランダムに混合される。
また、本実施形態では、吹付材料２５に通常用いられる接合剤１０を配合したが、竹笹類の繊維１１の使用により、通常の厚層基材吹付工に比して少量または省略することが可能である。ただし、吹付対象法面１４が急峻である場合は、補助的に接合剤を用いても良い。この場合も竹笹類の繊維１１を混入させたことにより、通常の厚層基材吹付工に比してその使用割合を減少させることが可能である。
【００４０】
また、吹付対象法面１４にラス金網１５を設置したが、ラス金網１５を省略することも可能である。ただし、吹付対象法面１４が急峻である場合は、補助的に竹串等による基盤材受け工法を併用しても良い。
また、上記実施形態では、吹付材料２５を吹付機１により吹き付ける場合について説明したが、本発明はこれに限らず、例えば、計量された材料を一度ミキサーに投入して混練りした後に吹付機１に投入するようにしても良い。また、手作業による混練りしても良い。また、混合された吹付材料２５を圧縮空気によって対象法面１４に吹き付ける以外に、例えば、ハイドロシーダ、圧送ポンプ、バケットなどにより対象地盤に打設しても良い。
【００４１】
また、上記実施形態では、吹付材料２５を種子８、肥料９、接合剤１０、育成基盤材および竹笹類の繊維１１で構成した場合について説明したが、育成基盤材に代えて客土、セメントまたはモルタルを用いることもある。
この場合にも、竹笹類の繊維１１の混入量は、客土、セメントまたはモルタルに対して重量比で５０〜３０％、望ましくは５〜１５％、特に望ましくは１〜５％である。
【００４２】
ここで、セメントは、普通ポルトランドセメントの他、ポーラスセメントなどの使用できる。
ここで、セメントまたはモルタルは、例えば、下記のような使用形態が考えられる。
主として、河川三面張り、堤防、法尻などの植生を必要とし、流水、踏圧などによる土壌流出を防止したい場合に使用する。特に、ビオトープ維持・再生工事などにおいて、盛土・切り土では流水、踏圧などに対し強度が不足する場合に使用する。
【００４３】
【発明の効果】
本発明によれば、竹笹類の繊維を用いることにより、２〜３年程度で土壌化し、環境への負荷がない。
また、本発明によれば、竹笹類の繊維の強度により、吹付材料で構成される層に微細な亀裂が発生することが防止できる。その結果、植生が生育するまで表土が安定する。
【００４４】
さらに、本発明によれば、材料を安価に入手しうる。特に、里山が竹林化することを防止し、良好な生態系を維持することにも役立つこととなる。
竹笹類の抗菌作用により、植生の暴走生育が抑制され、吹付当該年で肥料を使いきり、翌年から植生が著しく低下することを防止できる。
【００４５】
竹笹類の繊維が育成基盤材中にランダムに存在することにより、空隙を増し、空気の流通と水分の保持が可能となり、植物の生育に良い影響を与える。
竹笹類の繊維を混入させることにより、竹笹類の繊維を混入させない場合と比して１．４倍程度のセン断強度が増し、亀裂、滑落、剥離を防止できる。
【図面の簡単な説明】
【図１】本発明の一実施形態に係る法面緑化方法における吹付作業のフローシート。
【符号の説明】
１　吹付機
２　水ホース
３　エアホース
４　水源
５　揚水ポンプ
６　コンプレッサー
７　ベルトコンベア
８　種子
９　肥料
１０　接合剤
１１　育成基盤材および竹笹類の繊維
１２　材料圧送ホース
１３　吹付ノズル
１４　対象法面
１５　ラス金網
１６　アンカーピン
１７　補助アンカーピン
１８　発動発電機
１９　配電盤
２０　電線
２５　吹付材料
【図１】
2004089183.tif 000003